(57)【要約】【課題】複数の印刷ジョブのうち不要な１つだけを確実に削除する。【解決手段】制御部４０は、メンテナンス部によるインク吐出ヘッド１４のメンテナンスが実行されていない時は、削除指令入力部１４０により入力された削除指令に応じて削除部１３６による印刷ジョブの削除を実行し、メンテナンス部によるインク吐出ヘッド１４のメンテナンスが実行されている時は、削除指令入力部１４０により入力された最初の削除指令に応じて削除部１３６による印刷ジョブの削除を実行すると共に、削除指令入力部１４０により最初の削除指令の後に入力された削除指令については削除部１３６による印刷ジョブの削除を実行しないように制御する。【選択図】図５
2013146897.tif 000002
【特許請求の範囲】
【請求項１】
記録媒体に画像を記録する記録部と、
複数の印刷ジョブを記憶可能な記憶部と、
前記記録部のメンテナンスを行うためのメンテナンス部と、
前記記憶部に記憶されている複数の印刷ジョブに関して、それらが実行される順番を決定する印刷ジョブ実行順番決定部と、
前記記憶部に記憶されている複数の印刷ジョブのうち、前記印刷ジョブ実行順番決定部により最先の実行順番に決定された１つの印刷ジョブを削除する削除部と、
前記削除部による印刷ジョブの削除を実行するための削除指令を入力する削除指令入力部と、
前記記録部、前記メンテナンス部及び前記削除部を制御する制御部とを備え、
前記制御部は、
前記メンテナンス部による前記記録部のメンテナンスが実行されていない時は、前記削除指令入力部により入力された削除指令に応じて前記削除部による印刷ジョブの削除を実行し、
前記メンテナンス部による前記記録部のメンテナンスが実行されている時は、前記削除指令入力部により入力された最初の削除指令に応じて前記削除部による印刷ジョブの削除を実行すると共に、前記削除指令入力部により前記最初の削除指令の後に入力された削除指令については前記削除部による印刷ジョブの削除を実行しないように制御する、画像記録装置。
【請求項２】
前記制御部は、
前記メンテナンス部による前記記録部のメンテナンスの実行中に、前記複数の印刷ジョブのうち印刷ジョブの実行が中断されている１つの印刷ジョブが存在する時は、前記削除指令入力部により入力された最初の削除指令に応じて前記削除部による前記実行が中断されている１つの印刷ジョブの削除を実行すると共に、前記最初の削除指令の後に入力された削除指令については前記削除部による印刷ジョブの削除を実行しないように制御する、請求項１に記載の画像記録装置。
【請求項３】
前記制御部は、
前記メンテナンス部による前記記録部のメンテナンスの実行中に、印刷ジョブの実行が保留されている前記複数の印刷ジョブが存在する時は、前記削除指令入力部により入力された最初の削除指令に応じて前記削除部による前記実行が保留されている複数のジョブのうち実行される順番が最先の印刷ジョブの削除を実行すると共に、前記削除指令入力部により前記最初の削除指令の後に入力された削除指令については前記削除部による印刷ジョブの削除を実行しないように制御する、請求項１に記載の画像記録装置。
【請求項４】
情報を表示する表示部を備え、
前記制御部は、前記メンテナンス部による前記記録部のメンテナンスの実行中に、前記削除指令入力部が最初の削除指令を入力した後の所定時間内に次の削除指令を入力した時は、印刷ジョブのリストを表示させるように前記表示部を制御する、請求項１ないし３のいずれかに記載の画像記録装置。
【請求項５】
前記制御部は、前記メンテナンス部による前記記録部のメンテナンスの終了まで印刷ジョブの削除を保留するように前記削除部を制御する、請求項１ないし４のいずれかに記載の画像記録装置。
【請求項６】
前記制御部は、前記削除指令入力部が削除指令を特定の態様で入力した時は、印刷ジョブを即時に削除するように前記削除部を制御する、請求項１ないし５のいずれかに記載の画像記録装置。
【請求項７】
パスワードを入力するパスワード入力部を備え、
前記制御部は、前記パスワード入力部によるパスワードの入力が行われた後に前記削除指令入力部が削除指令を入力した時は、２つ以上の印刷ジョブを同時に削除するように前記削除部を制御する、請求項１ないし６のいずれかに記載の画像記録装置。
【請求項８】
情報を表示する表示部を備え、
前記制御部は、前記記憶部が前記記録部のメンテナンスを実行するために中断された印刷ジョブを記憶しておらず、且つ、メンテナンスを実行するために実行が保留されている印刷ジョブを記憶している時は、当該印刷ジョブのユーザに関す情報を表示させるように前記表示部を制御する、請求項１ないし７のいずれかに記載の画像記録装置。
【請求項９】
記録媒体に画像を記録する記録部と、
複数の印刷ジョブを記憶可能な記憶部と、
前記記録部のメンテナンスを行うためのメンテナンス部と、
前記記憶部に記憶されている前記複数の印刷ジョブのうち少なくとも１つの印刷ジョブを削除する削除部と、
前記削除部による印刷ジョブの削除を実行するための削除指令を入力する削除指令入力部と、
前記記録部、前記メンテナンス部及び前記削除部を制御する制御部とを備え、
前記制御部は、
前記メンテナンス部による前記記録部のメンテナンスが実行されていない時であって、且つ、前記削除指令が前記削除指令入力部により複数入力された時は、前記削除指令が入力された順番と前記印刷ジョブが実行される順番とを一致させて前記複数の印刷ジョブを削除するように前記削除部を制御し、
前記メンテナンス部による前記記録部のメンテナンスが実行されている時であって、且つ、前記削除指令が前記削除指令入力部により複数入力された時は、前記複数の印刷ジョブのうち実行される順番が最先の印刷ジョブのみを削除するように前記削除部を制御する、画像記録装置。
【請求項１０】
記録媒体に画像を記録する記録部と、
複数の印刷ジョブを記憶可能な記憶部と、
前記記録部のメンテナンスを行うためのメンテナンス部と、
前記記憶部に記憶されている前記複数の印刷ジョブのうち最先に実行される１つの印刷ジョブを削除する削除部と、
前記削除部による印刷ジョブの削除を実行するための削除指令を入力する削除指令入力部と、
前記記録部、前記メンテナンス部及び前記削除部を制御する制御部とを備え、
前記制御部は、
前記メンテナンス部による前記記録部のメンテナンスが実行されていない時は、前記削除指令入力部により入力された削除指令に応じて前記削除部による印刷ジョブの削除を実行し、
前記メンテナンス部による前記記録部のメンテナンスが実行されている時は、前記削除指令入力部により入力された最初の削除指令に応じて前記削除部による印刷ジョブの削除を実行すると共に、前記削除指令入力部により前記最初の削除指令の後に入力された削除指令については前記削除部による印刷ジョブの削除を実行しないように制御する、画像記録装置。
【請求項１１】
記録媒体に画像を記録する記録部と、
複数の印刷ジョブを記憶可能な記憶部と、
前記記録部のメンテナンスを行うためのメンテナンス部と、
前記記憶部に記憶されている複数の印刷ジョブのうち実行順番が最先である印刷ジョブを削除する削除部と、
前記削除部による印刷ジョブの削除を実行するための削除指令を入力する削除指令入力部と、
前記記録部、前記メンテナンス部及び前記削除部を制御する制御部とを備える画像記録装置における前記制御部を用いた印刷ジョブの削除方法であって、
（ａ）前記記録部のメンテナンスを行うためのメンテナンス指令があったか否かを判断するメンテナンス指令判断工程と、
（ｂ）前記メンテナンス指令判断工程でメンテナンス指令があったと判断された時に、前記メンテナンス部による前記記録部のメンテナンスを実行するメンテナンス工程と、
（ｃ）前記メンテナンス部によるメンテナンスの実行中に前記削除指令入力部が削除指令を入力したか否かを判断する削除指令判断工程と、
（ｂ）前記削除指令判断工程において削除指令を入力したと判断された時に、前記削除指令入力部により入力された最初の削除指令に応じて前記削除部による印刷ジョブの削除を実行する削除工程と、
（ｅ）前記削除指令入力部により前記最初の削除指令の後に入力された削除指令については前記削除部による印刷ジョブの削除を実行しないようにする削除禁止工程とを備える、印刷ジョブの削除方法。
【発明の詳細な説明】
【技術分野】
【０００１】
本発明は、記録媒体に画像を記録する記録部を備える画像記録装置及び印刷ジョブの削除方法に関する。
【背景技術】
【０００２】
従来より、印刷ジョブに従って記録媒体に画像を記録する記録部と、印刷ジョブを削除する削除部とを備える画像記録装置が知られている（特許文献１参照）。特許文献１の画像入出力装置（画像記録装置の一種）では、ユーザによってストップキーが押されると、コントローラユニットによって実行中或いは待機中のジョブが識別され、これらが存在していれば、表示部によってジョブリストが表示される。そして、ユーザによってジョブリスト中のジョブが選択されると、コントローラユニットによって当該ジョブの削除処理が実行される。
【先行技術文献】
【特許文献】
【０００３】
【特許文献１】特開２００１−１８６２９６号公報
【発明の概要】
【発明が解決しようとする課題】
【０００４】
特許文献１の画像入出力装置において、通常の印刷動作の最中に印刷ジョブの削除処理が実行されると、印刷動作が中断されるため、動作音が無くなる。そのため、ユーザは、動作音が無くなったことに基づいて、印刷ジョブの削除が開始されたと判断することができる。しかし、記録部のメンテナンスを行っている最中には、メンテナンスの動作音が発生するため、ユーザは、動作音が無くなったことに基づいて、印刷ジョブの削除が開始されたと判断することが困難である。したがって、複数の印刷ジョブのうち不要な１つだけを削除したいときでも、ユーザが削除処理の操作を繰り返し行う（例えば、削除キーを連打する）ことがあり、必要な印刷ジョブまで不用意に削除してしまうおそれがあった。
【０００５】
本発明は、上記課題を解決するためになされたものであり、複数の印刷ジョブのうち不要な１つだけを確実に削除することができる、画像記録装置及び印刷ジョブの削除方法を提供することを目的とする。
【課題を解決するための手段】
【０００６】
上記課題を解決するために、本発明に係る画像記録装置は、記録媒体に画像を記録する記録部と、複数の印刷ジョブを記憶可能な記憶部と、前記記録部のメンテナンスを行うためのメンテナンス部と、前記記憶部に記憶されている複数の印刷ジョブに関して、それらが実行される順番を決定する印刷ジョブ実行順番決定部と、前記記憶部に記憶されている複数の印刷ジョブのうち、前記印刷ジョブ実行順番決定部により最先の実行順番に決定された１つの印刷ジョブを削除する削除部と、前記削除部による印刷ジョブの削除を実行するための削除指令を入力する削除指令入力部と、前記記録部、前記メンテナンス部及び前記削除部を制御する制御部とを備え、前記制御部は、前記メンテナンス部による前記記録部のメンテナンスが実行されていない時は、前記削除指令入力部により入力された削除指令に応じて前記削除部による印刷ジョブの削除を実行し、前記メンテナンス部による前記記録部のメンテナンスが実行されている時は、前記削除指令入力部により入力された最初の削除指令に応じて前記削除部による印刷ジョブの削除を実行すると共に、前記削除指令入力部により前記最初の削除指令の後に入力された削除指令については前記削除部による印刷ジョブの削除を実行しないように制御することを特徴とする。
【０００７】
この構成では、メンテナンス部による記録部のメンテナンスが実行されていない時は、削除指令入力部により入力された削除指令に応じて削除部による印刷ジョブの削除を実行することができるので、削除指令入力部から削除指令を繰り返し入力することによって、複数の印刷ジョブを順に削除することができる。一方、メンテナンス部による記録部のメンテナンスが実行されている時は、削除指令入力部により入力された最初の削除指令に応じて削除部による印刷ジョブの削除を実行すると共に、削除指令入力部により最初の削除指令の後に入力された削除指令については削除部による印刷ジョブの削除を実行しないようにすることができるので、複数の印刷ジョブのうち不要な１つだけを確実に削除することができる。
【０００８】
上記課題を解決するために、本発明に係る画像記録装置は、記録媒体に画像を記録する記録部と、複数の印刷ジョブを記憶可能な記憶部と、前記記録部のメンテナンスを行うためのメンテナンス部と、前記記憶部に記憶されている前記複数の印刷ジョブのうち少なくとも１つの印刷ジョブを削除する削除部と、前記削除部による印刷ジョブの削除を実行するための削除指令を入力する削除指令入力部と、前記記録部、前記メンテナンス部及び前記削除部を制御する制御部とを備え、前記制御部は、前記メンテナンス部による前記記録部のメンテナンスが実行されていない時であって、且つ、前記削除指令が前記削除指令入力部により複数入力された時は、前記削除指令が入力された順番と前記複数の印刷ジョブのそれぞれが実行される順番とを一致させて前記複数の印刷ジョブを削除するように前記削除部を制御し、前記メンテナンス部による前記記録部のメンテナンスが実行されている時であって、且つ、前記削除指令が前記削除指令入力部により複数入力された時は、前記複数のジョブのうち実行される順番が最先の印刷ジョブのみを削除するように前記削除部を制御することを特徴とする。
【０００９】
この構成では、メンテナンス部による記録部のメンテナンスが実行されていない時であって、且つ、削除指令が削除指令入力部により複数入力された時は、削除指令が入力された順番と複数の印刷ジョブのそれぞれが実行される順番とを一致させて複数の印刷ジョブを削除することができるので、削除指令入力部から削除指令を繰り返し入力することによって、複数の印刷ジョブを順に削除することができる。一方、メンテナンス部による記録部のメンテナンスが実行されている時であって、且つ、削除指令が削除指令入力部により複数入力された時は、複数のジョブのうち実行される順番が最先の印刷ジョブのみを削除することができるので、複数の印刷ジョブのうち不要な１つだけを確実に削除することができる。
【００１０】
上記課題を解決するために、本発明に係る画像記録装置は、記録媒体に画像を記録する記録部と、複数の印刷ジョブを記憶可能な記憶部と、前記記録部のメンテナンスを行うためのメンテナンス部と、前記記憶部に記憶されている前記複数の印刷ジョブのうち最先に実行される１つの印刷ジョブを削除する削除部と、前記削除部による印刷ジョブの削除を実行するための削除指令を入力する削除指令入力部と、前記記録部、前記メンテナンス部及び前記削除部を制御する制御部とを備え、前記制御部は、前記メンテナンス部による前記記録部のメンテナンスが実行されていない時は、前記削除指令入力部により入力された削除指令に応じて前記削除部による印刷ジョブの削除を実行し、前記メンテナンス部による前記記録部のメンテナンスが実行されている時は、前記削除指令入力部により入力された最初の削除指令に応じて前記削除部による印刷ジョブの削除を実行すると共に、前記削除指令入力部により前記最初の削除指令の後に入力された削除指令については前記削除部による印刷ジョブの削除を実行しないように制御することを特徴とする。
【００１１】
この構成では、メンテナンス部による記録部のメンテナンスが実行されていない時は、削除指令入力部により入力された削除指令に応じて削除部による印刷ジョブの削除を実行することができるので、削除指令入力部から削除指令を繰り返し入力することによって、複数の印刷ジョブを順に削除することができる。一方、メンテナンス部による記録部のメンテナンスが実行されている時は、削除指令入力部により入力された最初の削除指令に応じて削除部による印刷ジョブの削除を実行すると共に、削除指令入力部により最初の削除指令の後に入力された削除指令については削除部による印刷ジョブの削除を実行しないようにすることができるので、複数の印刷ジョブのうち不要な１つだけを確実に削除することができる。
【００１２】
上記課題を解決するために、本発明に係る印刷ジョブの削除方法は、記録媒体に画像を記録する記録部と、複数の印刷ジョブを記憶可能な記憶部と、前記記録部のメンテナンスを行うためのメンテナンス部と、前記記憶部に記憶されている複数の印刷ジョブのうち実行順番が最先である印刷ジョブを削除する削除部と、前記削除部による印刷ジョブの削除を実行するための削除指令を入力する削除指令入力部と、前記記録部、前記メンテナンス部及び前記削除部を制御する制御部とを備える画像記録装置における前記制御部を用いた印刷ジョブの削除方法であって、（ａ）前記記録部のメンテナンスを行うためのメンテナンス指令があったか否かを判断するメンテナンス指令判断工程と、（ｂ）前記メンテナンス指令判断工程でメンテナンス指令があったと判断された時に、前記メンテナンス部による前記記録部のメンテナンスを実行するメンテナンス工程と、（ｃ）前記メンテナンス部によるメンテナンスの実行中に前記削除指令入力部が削除指令を入力したか否かを判断する削除指令判断工程と、（ｂ）前記削除指令判断工程において削除指令を入力したと判断された時に、前記削除指令入力部により入力された最初の削除指令に応じて前記削除部による印刷ジョブの削除を実行する削除工程と、（ｅ）前記削除指令入力部により前記最初の削除指令の後に入力された削除指令については前記削除部による印刷ジョブの削除を実行しないようにする削除禁止工程とを備えることを特徴とする。
【００１３】
この構成では、削除指令判断工程において削除指令を入力したと判断された時に、削除指令入力部により入力された最初の削除指令に応じて削除部による印刷ジョブの削除を実行し、且つ、削除指令入力部により最初の削除指令の後に入力された削除指令については削除部による印刷ジョブの削除を実行しないようにしているので、複数の印刷ジョブのうち不要な１つだけを確実に削除することができる。
【発明の効果】
【００１４】
本発明によれば、メンテナンス部による記録部のメンテナンスが実行されていない時は、複数の印刷ジョブを順に削除することができる。一方、メンテナンス部による記録部のメンテナンスが実行されている時は、複数の印刷ジョブのうち不要な１つだけを確実に削除することができ、必要な印刷ジョブを不用意に削除することを防止することができる。
【図面の簡単な説明】
【００１５】
【図１】実施形態に係るインクジェットプリンタの全体構成を示す概念図である。
【図２】インクジェットプリンタの要部の構成を示す概念図である。
【図３】液体吐出ヘッドのヘッド部の構成を示す平面図である。
【図４】液体吐出ヘッドのヘッド部の構成を示す部分拡大断面図である。
【図５】インクジェットプリンタの全体構成を示すブロック図である。
【図６】インクジェットプリンタのメンテナンス時の状態を示す概念図である。
【図７】ジョブ削除の制御動作を示すフロー図である。
【図８】ジョブ削除の動作タイミングを示すタイミング図である。
【発明を実施するための形態】
【００１６】
以下に、本発明に係る画像記録装置の好ましい実施形態について、図面を参照しながら説明する。なお、以下の実施形態では、本発明に係る「画像記録装置」がインクジェットプリンタに適用されており、「記録部」としてインク吐出ヘッドが用いられており、「記録媒体」として用紙が用いられている。以下の説明における「前後左右」の方向は、インクジェットプリンタを操作するユーザから見た方向を基準としており、ユーザから見て手前側を前、奥側を後、左側を左、右側を右としている。
【００１７】
図１に示すように、インクジェットプリンタ１０は、筐体１２と、所定の記録領域Ｑ１において画像を記録するために用紙Ｐにインクを吐出するインク吐出ヘッド１４と、所定の前処理領域Ｑ２において用紙Ｐに処理液を吐出する処理液吐出ヘッド１６と、インク吐出ヘッド１４及び処理液吐出ヘッド１６を加湿する加湿部１８とを有している。
【００１８】
また、図２に示すように、インクジェットプリンタ１０は、インクを貯留するインクタンク２０と、処理液を貯留する処理液タンク２２と、加湿液を貯留する加湿液タンク２４と、これらの液体タンク２０，２２，２４が着脱可能に装着されるタンク装置部２６とを備えている。処理液としては、インクの成分を凝集又は析出させるものが用いられ、例えば、顔料系のインクに対しては、顔料色素を凝集させるものが用いられ、染料系のインクに対しては、染料色素を析出させるものが用いられる。処理液の材料としては、カチオン性化合物、とりわけカチオン系高分子やカチオン性界面活性剤、カルシウム塩、マグネシウム塩等の多価金属塩を含有する液体等を適宜選択可能であり、これらの処理液が塗布された用紙Ｐの表面にインクが着弾すると、多価金属塩等がインクの着色剤である染料又は顔料に作用して、不溶性又は難溶性の金属複合体等が凝集又は析出により形成される。その結果、インクの用紙Ｐ内への浸透度が低下し、インクを用紙Ｐ上に定着させ易くなる。
【００１９】
さらに、図１に示すように、インクジェットプリンタ１０は、用紙Ｐを収容する用紙収容部３０と、記録領域Ｑ１で画像が記録された用紙Ｐが排出される排出部３２と、用紙Ｐを用紙収容部３０から所定の前処理領域Ｑ２及び所定の記録領域Ｑ１を経由して排出部３２に搬送するための経路である搬送経路３４と、用紙Ｐを搬送経路３４で搬送させるための搬送力を用紙Ｐに付与する搬送力付与手段３６と、搬送経路３４の途中に設けられ、所定の記録領域Ｑ１及び所定の前処理領域Ｑ２において用紙Ｐを支持する２つのプラテン３８と、各種の制御動作を実行する「制御手段」としての制御部４０と、各種の情報を表示する表示部４２とを備えている。
【００２０】
図１に示すように、筐体１２は、上下方向に分割可能に構成された下部筐体１２ａ及び上部筐体１２ｂを有しており、上部筐体１２ｂの上面の後部には、排出部３２に向けて用紙Ｐを排出する用紙排出口４４が設けられており、上部筐体１２ｂの上面の前部には、液晶表示パネル等の表示部４２が設けられている。図５に示すように、表示部４２には、制御部４０が電気的に接続されている。
【００２１】
図１に示すように、搬送経路３４は、所定の前処理領域Ｑ２及び所定の記録領域Ｑ１において用紙Ｐを水平方向に搬送させるための水平経路３４ａと、用紙収容部３０に収容された用紙Ｐを水平経路３４ａに向けて搬送させるための供給経路３４ｂと、水平経路３４ａを通過した用紙Ｐを排出部３２に向けて搬送させるための排出経路３４ｃとを有している。
【００２２】
図２に示すように、２つのプラテン３８のそれぞれは、扉状に開閉する略四角形の２枚の板状の扉部材３８ａ，３８ｂと、扉部材３８ａ，３８ｂを開閉させるプラテン開閉装置３８ｃとを有しており、図５に示すように、プラテン開閉装置３８ｃには、制御部４０が電気的に接続されている。図２に示すように、用紙Ｐに画像を記録する際には、扉部材３８ａ，３８ｂが閉じられ、プラテン３８によって水平経路３４ａ（図１）の一部が構成される。
【００２３】
図１に示すように、搬送力付与手段３６は、用紙Ｐを水平経路３４ａで搬送させるための搬送力を用紙Ｐに付与する搬送ローラ３６ａと、用紙Ｐを供給経路３４ｂで搬送させるための搬送力を用紙Ｐに付与する搬送ローラ３６ｂと、用紙Ｐを排出経路３４ｃで搬送させるための搬送力を用紙Ｐに付与する搬送ローラ３６ｃと、用紙収容部３０の用紙Ｐを取り出して供給経路３４ｂに供給するピックアップローラ４６とを有している。図５に示すように、搬送ローラ３６ａ，３６ｂ，３６ｃ及びピックアップローラ４６のそれぞれを駆動する複数の搬送用モータ４８には、制御部４０が電気的に接続されている。
【００２４】
本実施形態では、水平経路３４ａにおける前後方向に沿って所定の前処理領域Ｑ２と所定の記録領域Ｑ１とが配置されており、インク吐出ヘッド１４及び処理液吐出ヘッド１６は、所定の記録領域Ｑ１及び所定の前処理領域Ｑ２の上方に配置されている。所定の記録領域Ｑ１及び所定の前処理領域Ｑ２における用紙Ｐの搬送方向が「副走査方向」であり、副走査方向に対して直交する方向が「主走査方向」である。
【００２５】
図３は、インク吐出ヘッド１４（図１）のヘッド部５４の構成を示す平面図であり、図４は、ヘッド部５４の構成を示す部分拡大断面図である。図１に示したインクジェットプリンタ１０は、ライン式のプリンタであり、インク吐出ヘッド１４（図１）は、水平方向であって、且つ、主走査方向に延びて設けられている。なお、処理液吐出ヘッド１６（図１）は、インク吐出ヘッド１４と同様に構成されているので、その説明は省略する。
【００２６】
図１に示すように、インク吐出ヘッド１４は、主走査方向に延びて設けられた略直方体状のヘッドホルダ５２と、ヘッドホルダ５２の下面に主走査方向に延びて設けられたヘッド部５４とを有している。図３及び図４に示すように、ヘッド部５４は、１つの流路ユニット５６と、その上面に接合された複数（本実施形態では８つ）のアクチュエータ５８とを有している。図４に示すように、流路ユニット５６は、複数の金属製プレートからなる積層体であり、最下層を構成するプレート５６ａの下面が、複数の吐出口６０が形成された吐出面６０ａとなっている。また、図４に示すように、流路ユニット５６の内部には、マニホールド６２（図３）と、マニホールド６２（図３）に連通する副マニホールド６４と、副マニホールド６４からアパーチャ６６及び圧力室６８を経て吐出口６０に至る複数の個別インク流路７０とが形成されている。そして、図３に示すように、流路ユニット５６の上面５６ｂには、マニホールド６２に連通する複数のインク供給口６２ａが形成されている。
【００２７】
図３に示すように、複数のアクチュエータ５８のそれぞれは、平面視形状が略台形となるように形成されており、隣接するアクチュエータ５８どうしは、上底及び下底が互いに逆方向に位置するように、主走査方向に並べて配置されている。図４に示すように、複数のアクチュエータ５８のそれぞれは、圧力室６８に対応する複数の駆動部７２（図４中に格子線で示す。）を有しており、複数の駆動部７２のそれぞれは、圧電層７２ａと、これを挟むように配置された一対の電極７２ｂ，７２ｃとを有している。そして、図５に示すように、インク吐出ヘッド１４の複数の駆動部７２（図４）のそれぞれには、ドライバＩＣ（図示省略）を搭載したフレキシブル配線基板（図示省略）を介して制御部４０が電気的に接続されている。
【００２８】
図４に示した駆動部７２の電極７２ｂ，７２ｃ間に駆動電圧（例えば２８Ｖの電位差）が供給されると、圧電層７２ａが厚み方向に対して直交する方向に収縮される。これにより、圧電層７２ａの下方に位置する部分が圧力室６８の内側に凸となるように変形され、圧力室６８の容積が小さくなる。この状態が基本状態である。基本状態において、電極７２ｂ，７２ｃ間にグランド電圧（例えば０Ｖの電位差）が供給されると、圧電層７２ａの収縮状態が解除される。すると、圧力室６８の容積がもとの大きさに戻され、圧力室６８の容積が大きくなる。基本状態が保持された状態で、電極７２ｂ，７２ｃ間にグランド電圧が瞬間的に供給されると、グランド電圧が供給されるタイミングで圧力室６８の容積が駆動電圧の大きさに応じて瞬間的に変動され、圧力室６８内に存在するインクに吐出エネルギが付与される。この吐出エネルギによって吐出口６０からインクが吐出される。なお、インク吐出ヘッド１４の駆動方式は、適宜変更されてもよい。
【００２９】
図２に示すように、インクタンク２０とインク吐出ヘッド１４とが、上流側インク流路７６ａと、サブタンク７８と、下流側インク流路７６ｂとを介して連通されており、サブタンク７８とインク吐出ヘッド１４とが、循環流路８０を介して連通されている。また、上流側インク流路７６ａには、ポンプ８２ａが設けられており、下流側インク流路７６ｂには、ポンプ８２ｂが設けられており、循環流路８０には、弁８４が設けられている。図５に示すように、ポンプ８２ａ，８２ｂ及び弁８４には、制御部４０が電気的に接続されている。
【００３０】
図２に示すように、処理液タンク２２と処理液吐出ヘッド１６とが、上流側インク流路８８ａと、サブタンク９０と、下流側インク流路８８ｂとを介して連通されており、サブタンク９０と処理液吐出ヘッド１６とが、循環流路９２を介して連通されている。また、上流側インク流路８８ａには、ポンプ９４ａが設けられており、下流側インク流路８８ｂには、ポンプ９４ｂが設けられており、循環流路９２には、弁９６が設けられている。図５に示すように、ポンプ９４ａ，９４ｂ及び弁９６には、制御部４０が電気的に接続されている。
【００３１】
図２に示すように、加湿部１８は、インク吐出ヘッド１４及び処理液吐出ヘッド１６を加湿液で加湿するものであり、インク吐出ヘッド１４及び処理液吐出ヘッド１６のそれぞれの吐出口６０を覆う２つのキャップ１００と、加湿液を貯留する加湿液タンク２４と、加湿液タンク２４の加湿液を一時的に貯留する加湿液リザーバ１０２と、加湿液リザーバ１０２に貯留された加湿液を気化させる超音波発生装置等の気化装置１０４とを有している。また、加湿部１８は、加湿液タンク２４に貯留された加湿液を加湿液リザーバ１０２に供給するための加湿液供給流路１０６と、加湿液リザーバ１０２に貯留された加湿液により加湿された空気（すなわち加湿空気）を、キャップ１００に供給し、且つ、キャップ１００から加湿液リザーバ１０２に戻すための加湿液循環流路１０８とを有している。さらに、加湿部１８は、加湿液供給流路１０６に設けられ、加湿液タンク２４に貯留された加湿液を加湿液リザーバ１０２に移送させるポンプ１１０と、加湿液循環流路１０８に設けられ、加湿液リザーバ１０２とキャップ１００との間で加湿空気を循環させるポンプ１１２と、加湿液循環流路１０８に設けられた逆止弁１１４と、キャップ１００を昇降させるキャップ昇降装置１１６とを有している。
【００３２】
図２に示すように、加湿液リザーバ１０２には、加湿液の液面が下限に達したことを検知する下限センサ１１８ａと、加湿液の液面が上限に達したことを検知する上限センサ１１８ｂとが設けられている。そして、図５に示すように、ポンプ１１０，１１２、下限センサ１１８ａ、上限センサ１１８ｂ及びキャップ昇降装置１１６には、制御部４０が電気的に接続されている。加湿液リザーバ１０２に貯留された加湿液の液面が下限値又は上限値に満たないと、ポンプ１１０が駆動されて、加湿液タンク２４に貯留された加湿液が加湿液リザーバ１０２に補給される。
【００３３】
図５に示した制御部４０は、ＣＰＵ（図示省略）と、不揮発メモリ等の記憶部１２０と、プログラムの実行時にデータを一時的に記憶するＲＡＭ（図示省略）とを有している。そして、図５に示すように、ＣＰＵでプログラムが実行されることによって、ヘッド制御部１２２、搬送制御部１２４、開閉制御部１２６、キャップ駆動制御部１２８、表示制御部１３０、液体移送制御部１３２、印刷ジョブ実行順番決定部１３４及び削除部１３６等の各機能が発揮される。
【００３４】
図５に示した記憶部１２０は、ＣＰＵが実行するプログラムや各種のデータを書き替え可能に記憶するものである。パーソナルコンピュータ等のような印刷ジョブ入力手段１３８から制御部４０に入力された複数の印刷ジョブは、記憶部１２０に記憶される。なお、印刷ジョブ入力手段１３８は、印刷ジョブを記憶した記憶メディアがインクジェットプリンタ１０に接続され、この記憶メディア内の印刷ジョブが記憶部１２０に記憶される構成であってもよい。また、印刷ジョブは、印刷すべき画像データと共に制御部４０に入力されてもよいし、印刷すべき画像データとは別に印刷実行コマンドとして制御部４０に入力されてもよい。いずれの場合でも、制御部４０が印刷ジョブを受信した時点が、印刷ジョブを登録した時点となる。
【００３５】
印刷ジョブ実行順番決定部１３４は、記憶部１２０に記憶されている複数の印刷ジョブに関して、それらが実行される順番を決定するものである。なお、実行される順番は、印刷ジョブのデータに書き込まれたり、印刷ジョブを所定の記憶領域に配列することなどによって決定される。削除部１３６は、記憶部１２０に記憶されている複数の印刷ジョブのうち、印刷ジョブ実行順番決定部１３４により最先の実行順番に決定された１つの印刷ジョブを削除するものである。削除指令入力部１４０は、削除部１３６による印刷ジョブの削除を実行するための削除指令を入力するものである。図示していないが、削除指令入力部１４０は、具体的には、ユーザが操作可能な押しボタンスイッチであり、上部筐体１２ｂ（図１）の上面に表示部４２と並んで配置されている。なお、削除指令入力部１４０は、表示部４２に表示されるスイッチ機能を有するアイコンであってもよい。
【００３６】
図６は、インクジェットプリンタ１０のメンテナンス時の状態を示す概念図である。インクジェットプリンタ１０の動作には、通常の画像記録動作とメンテナンス動作とがあり、メンテナンス動作には、フラッシングと、パージングと、加湿処理とがある。
【００３７】
図２に示すように、画像記録動作では、用紙収容部３０の用紙Ｐがピックアップローラ４６で取り出され、当該用紙Ｐが供給径路３４ｂ及び水平径路３４ａを通して所定の前処理領域Ｑ２及び所定の記録領域Ｑ１に供給され、その後、排出径路３４ｃを通して排出部３２に排出される。前処理領域Ｑ２では、処理液吐出ヘッド１６の吐出口６０から用紙Ｐに処理液が吐出され、記録領域Ｑ１では、インク吐出ヘッド１４の吐出口６０から用紙Ｐにインクが吐出されることにより用紙Ｐに画像が記録される。
【００３８】
メンテナンス動作のうちフラッシングは、画像データとは異なるフラッシングデータに基づいてインク吐出ヘッド１４又は処理液吐出ヘッド１６のアクチュエータ５８（図４）を駆動させることにより、吐出口６０（図４）からインク又は処理液を強制的に吐出させる動作である。図６に示すように、フラッシングでは、キャップ昇降装置１１６によって２つのキャップ１００が上昇され、２つのキャップ１００でインク吐出ヘッド１４及び処理液吐出ヘッド１６の吐出口６０（図４）が覆われる。そして、インク吐出ヘッド１４又は処理液吐出ヘッド１６から吐出されたインク又は処理液がキャップ１００で受けられる。キャップ１００で受けられたインク又は処理液は、キャップ１００に設けられた排出口（図示省略）から排出される。このように、フラッシングでは、主としてインク吐出ヘッド１４、キャップ１００、キャップ昇降装置１１６、プラテン３８（図６）が「記録部」のメンテナンスを行うための「メンテナンス部」として機能する。なお、フラッシングは、所定期間ごとに自動的に実行されてもよいし、ユーザが入力した信号に基づいて実行されてもよい。
【００３９】
メンテナンス動作のうちパージングは、ポンプ８２ｂ又はポンプ９４ｂ（図２）でインク吐出ヘッド１４又は処理液吐出ヘッド１６（図２）内のインクに圧力を付与することにより、吐出口６０（図４）からインクを強制的に排出させる動作である。図６に示すように、パージングでは、キャップ昇降装置１１６によって２つのキャップ１００が上昇され、２つのキャップ１００でインク吐出ヘッド１４及び処理液吐出ヘッド１６の吐出口６０（図４）が覆われる。そして、インク吐出ヘッド１４又は処理液吐出ヘッド１６から排出されたインク又は処理液がキャップ１００で受けられる。キャップ１００で受けられたインク又は処理液は、キャップ１００に設けられた排出口（図示省略）から排出される。このように、パージングでは、主としてポンプ８２ｂ、キャップ１００、キャップ昇降装置１１６及びプラテン３８（図６）が「記録部」のメンテナンスを行うための「メンテナンス部」として機能する。なお、パージングは、所定期間ごとに自動的に実行されてもよいし、ユーザが入力した信号に基づいて実行されてもよい。
【００４０】
メンテナンス動作のうち加湿処理は、インク吐出ヘッド１４又は処理液吐出ヘッド１６の吐出口６０（図４）を加湿部１８で加湿する動作である。図６に示すように、加湿処理では、キャップ昇降装置１１６によって２つのキャップ１００が上昇され、２つのキャップ１００でインク吐出ヘッド１４及び処理液吐出ヘッド１６の吐出口６０（図４）が気密的に覆われる。そして、加湿液リザーバ１０２に貯留された加湿液が気化装置１０４で気化され、加湿液により加湿された空気（すなわち加湿空気）が、ポンプ１１２によって加湿液循環流路１０８を通してキャップ１００内に供給される。このように、加湿処理では、主として加湿液リザーバ１０２、ポンプ１１２、キャップ１００、キャップ昇降装置１１６及びプラテン３８（図６）が「メンテナンス部」として機能する。なお、加湿処理は、フラッシング及びパージングの後に自動的に実行されてもよいし、ユーザが入力した信号に基づいて実行されてもよい。
【００４１】
図７は、ジョブ削除の制御動作を示すフロー図であり、図８は、ジョブ削除の動作タイミングを示すタイミング図である。以下には、制御部４０によるジョブ削除の制御動作について説明する。
【００４２】
図５に示した印刷ジョブ入力手段１３８から制御部４０に複数の印刷ジョブが登録されると、当該複数の印刷ジョブが記憶部１２０に記憶され、印刷ジョブ実行順番決定部１３４で決定された順番に従って印刷ジョブが順に実行される。本実施形態では、印刷ジョブが登録された順番に印刷ジョブの実行順番が決定され、最先に登録された印刷ジョブが最先の実行順番に決定される。
【００４３】
上記「メンテナンス部」によるインク吐出ヘッド１４のメンテナンスが実行されていない時であって、且つ、削除指令が削除指令入力部１４０（図５）により複数入力された時は、入力された削除指令に応じて削除部１３６（図５）による印刷ジョブの削除が実行される。つまり、削除指令が入力された順番と印刷ジョブが実行される順番とを一致させて複数の印刷ジョブを削除するように削除部１３６（図５）が制御される。一方、上記「メンテナンス部」によるインク吐出ヘッド１４のメンテナンスが実行されている時であって、且つ、削除指令が削除指令入力部１４０により複数入力された時は、図７のステップＳ１〜Ｓ１９に従って、複数の印刷ジョブのうち実行される順番が最先の印刷ジョブのみを削除するように削除部１３６（図５）が制御される。つまり、削除指令入力部１４０（図５）により入力された最初の削除指令に応じて削除部１３６（図５）による印刷ジョブの削除を実行すると共に、削除指令入力部１４０（図５）により最初の削除指令の後に入力された削除指令については削除部１３６（図５）による印刷ジョブの削除を実行しないように制御される。
【００４４】
図７に示すステップＳ１（すなわちメンテナンス指令判断工程）では、印刷ジョブの実行中、或いは、印刷ジョブの待ち受け中にメンテナンス指令があったか否かが判断され、「ＹＥＳ」すなわちメンテナンス指令があったと判断されると、ステップＳ３に進み、「ＮＯ」と判断されると、メンテナンス指令があるまで待機される。例えば、予め設定されていたメンテナンスの時期が到来したときや、ユーザがメンテナンス指令信号を入力した時は、ステップＳ１において「ＹＥＳ」と判断されてステップＳ３に進む。
【００４５】
ステップＳ３（すなわちメンテナンス工程）では、インク吐出ヘッド１４及び処理液吐出ヘッド１６に対して、上記「メンテナンス部」によるメンテナンス動作（フラッシング、パージング及び加湿処理）の少なくとも１つが実行される。いずれのメンテナンス動作を実行するかは、メンテナンス指令により指定することができる。
【００４６】
図８（Ａ），（Ｂ）に示すように、メンテナンス指令が入力された時に実行中の第１印刷ジョブが存在する時は、第１印刷ジョブは中断され、印刷ジョブ実行順番決定部１３４（図５）により第１印刷ジョブが最先の実行順番に決定される。図８（Ｃ）に示すように、メンテナンス指令が入力された後のメンテナンスの実行中に第１印刷ジョブ及び第２印刷ジョブの登録があった時は、第１印刷ジョブ及び第２印刷ジョブの実行が保留され、印刷ジョブ実行順番決定部１３４（図５）により登録された順番と同じ順番に実行順番が決定される。そして、記憶部１２０がインク吐出ヘッド１４のメンテナンスを実行するために中断された印刷ジョブを記憶しておらず、且つ、メンテナンスを実行するために実行が保留されている印刷ジョブを記憶している時は、当該印刷ジョブのユーザに関す情報を表示させるように表示部４２が制御される。なお、印刷ジョブ実行順番決定部１３４（図５）による実行順番の決定方法は、制御部４０（図５）により適宜変更されてもよい。
【００４７】
図７に示すステップＳ５（すなわち削除指令判断工程）では、削除指令入力部１４０（図５）による印刷ジョブの削除指令があったか否かが判断され、「ＹＥＳ」すなわち削除指令があったと判断されると、ステップＳ７において削除指令の登録が行われた後、ステップＳ９に進み、「ＮＯ」と判断されると、そのままステップＳ９に進む。ステップＳ７で登録される削除指令は、最先の実行順番に決定された１つの印刷ジョブをメンテナンスの終了後に削除するための指令であり、削除指令の登録があっても印刷ジョブが直ちに削除されることはない。
【００４８】
ステップＳ９では、メンテナンスを終了するか否かが判断され、「ＹＥＳ」すなわちメンテナンスを終了すると判断されると、ステップＳ１１においてメンテナンスが終了され、「ＮＯ」と判断されると、メンテナンスが続行される。例えば、フラッシングでは、インク吐出ヘッド１４（図２）から所定量のインクを吐出したときに「ＹＥＳ」と判断され、パージングでは、ポンプ８２ｂ（図２）からインク吐出ヘッド１４（図２）に所定量のインクを供給したときに「ＹＥＳ」と判断される。また、加湿処理では、ポンプ１１２によって加湿空気を加湿液循環流路１０８に所定時間循環させたとき「ＹＥＳ」と判断される。
【００４９】
ステップＳ９で「ＮＯ」と判断された時は、「ＹＥＳ」すなわちメンテナンスを終了すると判断されるまでメンテナンスが続行されるが、ステップＳ５，Ｓ７に戻ることはない。つまり、削除指令入力部１４０（図５）により最初の削除指令の後に入力された削除指令については、ステップＳ９（すなわち削除禁止工程）において削除部１３６（図５）による印刷ジョブの削除を実行しないように制御される。
【００５０】
ステップＳ１３（すなわち削除工程）では、削除指令に応じて最先の実行順番に決定された１つの印刷ジョブが削除部１３６（図５）によって削除される。つまり、図８（Ｂ）のケースのように、ステップＳ７で削除指令入力部１４０により入力された最初の削除指令の登録が行われ、複数の印刷ジョブのうち印刷ジョブの実行が中断されている１つの印刷ジョブ（図中の印刷１）が存在する時は、最先の実行順番に決定された中断されている１つの印刷ジョブ（第１印刷ジョブ）だけが削除される。また、図８（Ｃ）に示すように、ステップＳ７で削除指令入力部１４０により入力された最初の削除指令の登録が行われ、印刷ジョブの実行が保留されている複数の印刷ジョブが存在する時は、実行が保留されている複数のジョブのうち実行される順番が最先の印刷ジョブ（第１印刷ジョブ）だけが削除される。そして、図８（Ａ）のケースのように、複数の印刷ジョブのうち印刷ジョブの実行が中断されている１つの印刷ジョブ（図中の印刷１）が存在していても、ステップＳ７で削除指令の登録が行われなかったときは、印刷ジョブ（第１印刷ジョブ）の削除は行われない。
【００５１】
ステップＳ１５では、削除された印刷ジョブ以外に印刷ジョブがあるか否かが判断され、「ＹＥＳ」すなわち印刷ジョブがあると判断されると、ステップＳ１７において当該印刷ジョブが実行された後、ステップＳ１９に進む。一方、「ＮＯ」と判断されると、そのままステップＳ１９に進む。図８（Ｂ），（Ｃ）のケースでは、第２印刷ジョブがあるので、ステップＳ１５で「ＹＥＳ」と判断され、ステップＳ１７において第２印刷ジョブ（図中の印刷２）が実行される。図８（Ａ）のケースでは、第１印刷ジョブ及び第２印刷ジョブがあるので、ステップＳ１５で「ＹＥＳ」と判断され、ステップＳ１７において第１印刷ジョブ及び第２印刷ジョブ（図中の印刷１及び印刷２）が実行される。
【００５２】
ステップＳ１９では、制御動作を終了するか否かが判断され、「ＹＥＳ」と判断されると終了され、「ＮＯ」と判断されるとステップＳ１に戻る。
【００５３】
［実施形態の効果］
本実施形態によれば、上記構成により以下の効果を奏することができる。すなわち、上記「メンテナンス部」によるインク吐出ヘッド１４（図２）のメンテナンスが実行されていない時は、削除指令入力部１４０（図５）により入力された削除指令に応じて削除部１３６（図５）による印刷ジョブの削除を実行することができるので、削除指令入力部１４０（図５）から削除指令を繰り返し入力することによって、複数の印刷ジョブを実行する順に削除することができる。一方、図７に示すように、上記「メンテナンス部」によるインク吐出ヘッド１４（図２）のメンテナンスが実行されている時は、削除指令入力部１４０（図５）により入力された最初の削除指令に応じて削除部１３６（図５）による印刷ジョブの削除を実行すると共に、削除指令入力部１４０（図５）により最初の削除指令の後に入力された削除指令については削除部１３６（図５）による印刷ジョブの削除を実行しないようにすることができるので、複数の印刷ジョブのうち不要な１つだけを確実に削除することができる。
【００５４】
図７に示すステップＳ７で登録される削除指令は、最先の実行順番に決定された１つの印刷ジョブをメンテナンスの終了後に削除するための指令であり、メンテナンスの終了後のステップＳ１３で印刷ジョブが削除される。したがって、印刷ジョブが削除されるまでは、ユーザがキャンセルキー（図示省略）を操作することにより削除指令をキャンセルすることができる。
【００５５】
図７に示すステップＳ３では、記憶部１２０がインク吐出ヘッド１４のメンテナンスを実行するために中断された印刷ジョブを記憶しておらず、且つ、メンテナンスを実行するために実行が保留されている印刷ジョブを記憶している時は、当該印刷ジョブのユーザに関する情報を表示部４２に表示させるようにしているので、最先の実行順番に決定された印刷ジョブのユーザが他人である場合に、当該他人の印刷ジョブを誤って削除することを防止することができる。
【００５６】
［他の実施形態］
図５に示すように、上述の実施形態では、記憶部１２０に記憶されている複数の印刷ジョブに関して、それらが実行される順番を印刷ジョブ実行順番決定部１３４によって決定しているが、印刷ジョブが登録された順番をそのまま印刷ジョブが実行される順番として決定してもよい。また、印刷ジョブが登録された順番にかかわらず、予め定められた順番を印刷ジョブが実行される順番として決定してもよい。これらの場合は、印刷ジョブ実行順番決定部１３４は省略されてもよい。
【００５７】
図７のステップＳ１３に示すように、上述の実施形態では、メンテナンスが終了するまで印刷ジョブの削除を保留するように削除部１３６を制御しているが、削除指令判断工程（ステップＳ５）の直後に印刷ジョブの削除を実行するように削除部１３６を制御してもよい。また、削除指令入力部１４０（図５）が削除指令を特定の態様（長く押し続ける等）で入力した時にだけ、印刷ジョブを即時に削除するように削除部１３６を制御してもよい。印刷ジョブを即時に削除することにより、メンテナンスの終了までの待ち時間を解消することができる。
【００５８】
図７のステップＳ１３に示すように、上述の実施形態では、最先の実行順番に決定された印刷ジョブ（最初の印刷ジョブ）だけを削除するように削除部１３６を制御しているが、パスワードを入力するパスワード入力部（図示省略）をさらに設け、制御部４０は、パスワード入力部（図示省略）によるパスワードの入力が行われた後に削除指令入力部１４０が削除指令を入力した時は、２つ以上の印刷ジョブを同時に削除するように削除部１３６を制御してもよい。この場合には、２つ以上の印刷ジョブを速やかに削除することができる。
【００５９】
また、図示していないが、上記「メンテナンス部」によるインク吐出ヘッド１４のメンテナンスの実行中に、削除指令入力部１４０（図５）が最初の削除指令を入力した後の所定時間内に次の削除指令を入力した時は、印刷ジョブのリストを表示させるように表示制御部１３０（図５）が表示部４２（図５）を制御してもよい。この構成では、ユーザは、既に登録されている印刷ジョブを一覧して状況を把握することができ、さらに複数の印刷ジョブのうち不要な１つだけを確実に削除することができる。
【００６０】
また、メンテナンス部に、インク吐出ヘッド１４や処理液吐出ヘッド１６の吐出面をワイプするワイパーが含まれていてもよい。
【００６１】
なお、従来、記録部のメンテナンスを行っている最中においてメンテナンス中であることを表す情報が画像入出力装置の表示部に表示されていると、印刷ジョブの削除が開始されたことを示す情報をこの表示部に表示させることができない、又は、メンテナンス中であることを示す情報と印刷ジョブの削除が開始されたことを示す情報の両方を表示させると、ユーザが印刷ジョブの削除が開始されたと判断することが困難となる。そうすると複数の印刷ジョブのうち不要な１つだけを削除したいときでも、ユーザが削除処理の操作を繰り返し行うことがあり、必要な印刷ジョブまで不用意に削除してしまうおそれがあるので、このような場合においても、上述した構成が有効となる。
【００６２】
図１に示すように、上述の実施形態では、「画像記録装置」をラインプリンタに適用しているが、シリアルプリンタやレーザプリンタに適用してもよい。また、上述の実施形態では、「画像記録装置」を、インクジェットプリンタに適用しているが、ファクシミリ及びコピー機等のようなプリンタ以外の画像記録装置に適用してもよい。さらに、液体吐出方式としては、アクチュエータ方式に代えて、発熱素子で液体の体積を膨張させたときの圧力を利用して吐出させる方式を用いてもよい。
【００６３】
図６に示すように、上述の実施形態では、超音波発生装置等の気化装置１０４により加湿液リザーバ１０２に貯留された加湿液を気化させる構成となっているが、気化装置１０４を設けずに、自然蒸発により気化させる構成であってもよい。
【符号の説明】
【００６４】
１０…  インクジェットプリンタ（画像記録装置）
１４…  インク吐出ヘッド（記録部、メンテナンス部）
４０…  制御部
４２…  表示部
８２ｂ…  ポンプ（メンテナンス部）
１０２…  加湿液リザーバ（メンテナンス部）
１１２…  ポンプ（メンテナンス部）
１３４…  印刷ジョブ実行順番決定部
１３６…  削除部
１４０…  削除指令入力部
【図１】
2013146897.tif 000003
【図２】
2013146897.tif 000004
【図３】
2013146897.tif 000005
【図４】
2013146897.tif 000006
【図５】
2013146897.tif 000007
【図６】
2013146897.tif 000008
【図７】
2013146897.tif 000009
【図８】
2013146897.tif 000010